【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）に実装される装置であって、前記装置は、
局在拡張物理下りリンク制御チャンネル候補情報（局在ｅＰＤＣＣＨ候補情報）および分散ｅＰＤＣＣＨ候補情報を有する無線リソース制御メッセージ（ＲＲＣメッセージ）を取得する受信機回路と、
プロセッサ回路と、を備え、
前記プロセッサ回路は、
前記局在ｅＰＤＣＣＨ候補情報および前記分散ｅＰＤＣＣＨ候補情報に基づいて、局在ｅＰＤＣＣＨ候補のセットおよび分散ｅＰＤＣＣＨ候補のセットを決定して、ＵＥ特定探索空間内をモニタリングし、
前記局在ｅＰＤＣＣＨ候補のセットおよび前記分散ｅＰＤＣＣＨ候補のセットに対する復号化の試みを実行して、下りリンク制御情報（ＤＣＩ）を取得する、
装置。
【請求項２】
前記プロセッサ回路は、前記局在ｅＰＤＣＣＨ候補のセットおよび前記分散ｅＰＤＣＣＨ候補のセットを決定して、ｅＰＤＣＣＨのアグリゲーションレベルにさらに基づいてモニタリングする、
請求項１に記載の装置。
【請求項３】
前記局在ｅＰＤＣＣＨ候補のセットは、複数の局在拡張制御チャンネル要素（複数の局在ｅＣＣＥ）のうちの局在ｅＣＣＥのセットを有し、
前記分散ｅＰＤＣＣＨ候補のセットは、複数の分散ｅＣＣＥのうちの分散ｅＣＣＥのセットを有する、
請求項２に記載の装置。
【請求項４】
前記複数の局在ｅＣＣＥは、０からＮＥＣＣＥ，ｐ１，ｋ−１まで番号付けされ、ＮＥＣＣＥ，ｐ１，ｋは、サブフレームｋの前記複数の局在ｅＣＣＥにおけるｅＣＣＥの総数であり、
前記複数の分散ｅＣＣＥは、０からＮＥＣＣＥ，ｐ２，ｋ−１まで番号付けされ、ＮＥＣＣＥ，ｐ２，ｋは、前記サブフレームｋの前記複数の分散ｅＣＣＥにおけるｅＣＣＥの総数である、
請求項３に記載の装置。
【請求項５】
前記複数の局在ｅＣＣＥおよび前記複数の分散ｅＣＣＥは、１または複数の物理リソースブロック（ＰＲＢ）ペア内に位置する、
請求項３または４に記載の装置。
【請求項６】
ユーザ機器（ＵＥ）に実装される装置であって、前記装置は、
無線リソース制御メッセージ（ＲＲＣメッセージ）から、局在拡張物理下りリンク制御チャンネル候補情報（局在ｅＰＤＣＣＨ候補情報）および分散ｅＰＤＣＣＨ候補情報を特定する手段と、
局在ｅＰＤＣＣＨ候補の数および分散ｅＰＤＣＣＨ候補の数を決定して、前記局在ｅＰＤＣＣＨ候補情報および前記分散ｅＰＤＣＣＨ候補情報に基づいて、ＵＥ特定探索空間内をモニタリングする手段と、
下りリンク制御情報（ＤＣＩ）を取得するべく、局在ｅＰＤＣＣＨ候補および分散ｅＰＤＣＣＨ候補に対する復号化の試みを実行する手段であって、前記復号化の試みは、局在ｅＰＤＣＣＨ候補の前記決定された数および分散ｅＰＤＣＣＨ候補の前記決定された数に基づく、手段と、を備える、
装置。
【請求項７】
前記局在ｅＰＤＣＣＨ候補のセットは、複数の局在拡張制御チャンネル要素（複数の局在ｅＣＣＥ）のうちの局在ｅＣＣＥのセットを有し、
前記分散ｅＰＤＣＣＨ候補のセットは、複数の分散ｅＣＣＥのうちの分散ｅＣＣＥのセットを有する、
請求項６に記載の装置。
【請求項８】
前記複数の局在ｅＣＣＥは、０からＮＥＣＣＥ，ｐ１，ｋ−１まで番号付けされ、ＮＥＣＣＥ，ｐ１，ｋは、サブフレームｋの前記複数の局在ｅＣＣＥにおけるｅＣＣＥの総数であり、
前記複数の局在ｅＣＣＥは、０からＮＥＣＣＥ，ｐ２，ｋ−１まで番号付けされ、ＮＥＣＣＥ，ｐ２，ｋは、前記サブフレームｋの前記複数の分散ｅＣＣＥにおけるｅＣＣＥの総数である、
請求項７に記載の装置。
【請求項９】
モニタリングする前記局在ｅＰＤＣＣＨ候補の数および前記分散ｅＰＤＣＣＨ候補の数は、ｅＰＤＣＣＨのアグリゲーションレベルに基づく、
請求項６から８のいずれか１項に記載の装置。
【請求項１０】
前記局在ｅＰＤＣＣＨ候補のセットおよび前記分散ｅＰＤＣＣＨ候補のセットは、１または複数の物理リソースブロック（ＰＲＢ）ペア内に位置する、
請求項６から９のいずれか１項に記載の装置。
【請求項１１】
ユーザ機器（ＵＥ）に、
進化型ノードＢ（ｅＮＢ）からの、局在拡張物理下りリンク制御チャンネル候補情報（局在ｅＰＤＣＣＨ候補情報）および分散ｅＰＤＣＣＨ候補情報を有する無線リソース制御メッセージ（ＲＲＣメッセージ）の受信を制御する段階と、
局在ｅＰＤＣＣＨ候補の数および分散ｅＰＤＣＣＨ候補の数を決定して、前記局在ｅＰＤＣＣＨ候補情報および前記分散ｅＰＤＣＣＨ候補情報に基づいて、ｅＰＤＣＣＨのＵＥ特定探索空間内をモニタリングする段階であって、前記局在ｅＰＤＣＣＨ候補の数および前記分散ｅＰＤＣＣＨ候補の数は、前記ＵＥ特定探索空間を定める、段階と、
下りリンク制御情報（ＤＣＩ）を取得するべく、前記局在ｅＰＤＣＣＨ候補の数および前記分散ｅＰＤＣＣＨ候補の数に基づいて、局在ｅＰＤＣＣＨ候補のセットおよび分散ｅＰＤＣＣＨ候補のセットに対する復号化の試みを実行する段階と、を実行させる
プログラム。
【請求項１２】
前記局在ｅＰＤＣＣＨ候補のセットは、複数の局在拡張制御チャンネル要素（複数の局在ｅＣＣＥ）のうちの局在ｅＣＣＥのセットを有し、
前記分散ｅＰＤＣＣＨ候補のセットは、複数の分散ｅＣＣＥのうちの分散ｅＣＣＥのセットを有する、
請求項１１に記載のプログラム。
【請求項１３】
前記複数の局在ｅＣＣＥは、０からＮＥＣＣＥ，ｐ１，ｋ−１まで番号付けされ、ＮＥＣＣＥ，ｐ１，ｋは、サブフレームｋの前記複数の局在ｅＣＣＥにおけるｅＣＣＥの総数であり、
前記複数の分散ｅＣＣＥは、０からＮＥＣＣＥ，ｐ２，ｋ−１まで番号付けされ、ＮＥＣＣＥ，ｐ２，ｋは、前記サブフレームｋの前記複数の分散ｅＣＣＥにおけるｅＣＣＥの総数である、
請求項１２に記載のプログラム。
【請求項１４】
モニタリングする前記局在ｅＰＤＣＣＨ候補の数および前記分散ｅＰＤＣＣＨ候補の数はさらに、ｅＰＤＣＣＨのアグリゲーションレベルに基づいて決定される、
請求項１２に記載のプログラム。
【請求項１５】
前記局在ｅＰＤＣＣＨ候補のセットおよび前記分散ｅＰＤＣＣＨ候補のセットは、１または複数の物理リソースブロック（ＰＲＢ）ペア内に位置する、
請求項１２から１４のいずれか１項に記載のプログラム。
【請求項１６】
進化型ノードＢ（ｅＮＢ）に実装される装置であって、前記装置は、
局在拡張物理下りリンク制御チャンネル候補（局在ｅＰＤＣＣＨ候補）のセットおよび分散ｅＰＤＣＣＨ候補のセットに対する、ｅＰＤＣＣＨにおける変調されたシンボルのマッピングを決定する手段と、
前記局在ｅＰＤＣＣＨ候補のセットおよび前記分散ｅＰＤＣＣＨ候補のセットをモニタリングするべく用いられる局在ｅＰＤＣＣＨ候補情報および分散ｅＰＤＣＣＨ候補情報を含むように、無線リソース制御メッセージ（ＲＲＣメッセージ）を生成する手段と、
前記ＲＲＣメッセージをユーザ機器（ＵＥ）に送信する手段と、を備える、
装置。
【請求項１７】
前記ｅＰＤＣＣＨのアグリゲーションレベルを決定する手段であって、前記アグリゲーションレベルは、下りリンク制御情報（ＤＣＩ）がマッピングされるｅＣＣＥの数である、手段と、
前記アグリゲーションレベル、前記局在ｅＰＤＣＣＨ候補情報、および前記分散ｅＰＤＣＣＨ候補情報に基づいて、前記ｅＰＤＣＣＨのＵＥ特定探索空間を定める手段と、をさらに備える、
請求項１６に記載の装置。
【請求項１８】
前記局在ｅＰＤＣＣＨ候補のセットは、複数の局在拡張制御チャンネル要素（複数の局在ｅＣＣＥ）のうちの局在ｅＣＣＥのセットを有し、
前記分散ｅＰＤＣＣＨ候補のセットは、複数の分散ｅＣＣＥのうちの分散ｅＣＣＥのセットを有する、
請求項１７に記載の装置。
【請求項１９】
前記複数の局在ｅＣＣＥは、０からＮＥＣＣＥ，ｐ１，ｋ−１まで番号付けされ、ＮＥＣＣＥ，ｐ１，ｋは、サブフレームｋの前記複数の局在ｅＣＣＥにおけるｅＣＣＥの総数であり、
前記複数の分散ｅＣＣＥは、０からＮＥＣＣＥ，ｐ２，ｋ−１まで番号付けされ、ＮＥＣＣＥ，ｐ２，ｋは、前記サブフレームｋの前記複数の分散ｅＣＣＥにおけるｅＣＣＥの総数である、
請求項１８に記載の装置。
【請求項２０】
前記局在ｅＰＤＣＣＨ候補のセットおよび前記分散ｅＰＤＣＣＨ候補のセットを、１または複数の物理リソースブロック（ＰＲＢ）ペアにマッピングする手段をさらに備える、
請求項１６から１９のいずれか１項に記載の装置。
【請求項２１】
請求項１１から１５のいずれか１項に記載のプログラムを格納する機械可読記憶媒体。